(57)【要約】【課題】アナログ放送の停波後もアナログ放送チャンネルの選択操作を有意義なものとすることができる放送受信装置を提供する。【解決手段】アナログ放送チャンネルを選択する操作がされると、制御部６は、アナログ放送が停波しているか否かを判定し、アナログ放送は停波していないと判定すれば、アナログチューナ２は、選択されたアナログ放送チャンネルを選局し、アナログ放送は停波していると判定すれば、ＨＤＤ記録再生部７は、選択されたアナログ放送チャンネルの録画番組を再生する。【選択図】図１
2010263514.tif 000002
【特許請求の範囲】
【請求項１】
アナログ放送を受信して選局するアナログチューナと、前記アナログチューナが選局した放送番組を録画し、録画された放送番組を再生する録画再生部と、前記アナログチューナが選局した放送番組の映像信号および前記録画再生部が再生した放送番組の映像信号を表示部に出力する映像信号出力部と、を有した放送受信装置において、
アナログ放送チャンネルを選択する操作がされると、アナログ放送が停波しているか否かを判定する停波判定部を備え、
前記停波判定部がアナログ放送は停波していないと判定すれば、前記アナログチューナは、前記選択されたアナログ放送チャンネルを選局し、
前記停波判定部がアナログ放送は停波していると判定すれば、前記録画再生部は、前記選択されたアナログ放送チャンネルの録画番組を再生する、ことを特徴とする放送受信装置。
【請求項２】
前記停波判定部がアナログ放送は停波していると判定した場合に、もし録画番組が録画されていなければ、警告表示を前記表示部にさせるべく前記映像信号出力部が映像信号を前記表示部に出力することを特徴とする請求項１に記載の放送受信装置。
【請求項３】
前記停波判定部がアナログ放送は停波していると判定した場合に、前記選択されたアナログ放送チャンネルの録画番組はないが、前記選択されたアナログ放送チャンネル以外のアナログ放送チャンネルの録画番組があった場合、その録画番組を前記録画再生部は再生することを特徴とする請求項１または請求項２に記載の放送受信装置。
【請求項４】
デジタル放送を受信して選局するデジタルチューナを備え、前記デジタルチューナが選局した放送番組を前記録画再生部は録画し、
前記停波判定部がアナログ放送は停波していると判定した場合に、アナログ放送の録画番組はないが、デジタル放送の録画番組があった場合、その録画番組を前記録画再生部は再生することを特徴とする請求項１〜請求項３のいずれかに記載の放送受信装置。
【発明の詳細な説明】
【技術分野】
【０００１】
本発明は、アナログ放送を受信可能な放送受信装置に関する。
【背景技術】
【０００２】
現在、アナログ放送からデジタル放送への移行期間であり、アナログ放送とデジタル放送の両方を受信可能な放送受信装置が存在している。
【０００３】
このような放送受信装置として、例えば、特許文献１に、デジタルチューナ部と、アナログチューナ部と、デジタル変換部と、多重化部とを有し、デジタルチューナ部は、デジタル放送を受信し、信号処理を施して得られるＴＳ（トランスポートストリーム）を多重化部に出力し、アナログチューナ部は、アナログ放送を受信し、信号処理を施して得られる映像信号および音声信号をデジタル変換部に出力し、デジタル変換部は、入力された映像信号および音声信号を圧縮符号化しＴＳに変換して、多重化部に出力し、多重化部は、入力された２つのＴＳを多重化して映像装置に供給するようなチューナモジュールが開示されている。このようなチューナモジュールにより、デジタル放送にのみ対応する映像装置で、デジタル放送およびアナログ放送の両方を視聴可能にできるとされている。
【先行技術文献】
【特許文献】
【０００４】
【特許文献１】特開２００７−２３５６５０号公報
【発明の概要】
【発明が解決しようとする課題】
【０００５】
ここで、２０１１年７月２４日にアナログ放送は停波される予定となっているが、上記特許文献１のチューナモジュールでは、アナログ放送が停波されてしまうと、操作部によりアナログ放送チャンネルの選択操作を行っても、アナログチューナ部にはアナログ放送信号が入力されないので、映像装置には何も表示されず、アナログ放送チャンネルの選択操作は無意味なものとなってしまう。
【０００６】
上記問題点を鑑みて、本発明は、アナログ放送の停波後もアナログ放送チャンネルの選択操作を有意義なものとすることができる放送受信装置を提供することを目的とする。
【課題を解決するための手段】
【０００７】
上記目的を達成するために本発明の放送受信装置は、アナログ放送を受信して選局するアナログチューナと、前記アナログチューナが選局した放送番組を録画し、録画された放送番組を再生する録画再生部と、前記アナログチューナが選局した放送番組の映像信号および前記録画再生部が再生した放送番組の映像信号を表示部に出力する映像信号出力部と、を有した放送受信装置において、
アナログ放送チャンネルを選択する操作がされると、アナログ放送が停波しているか否かを判定する停波判定部を備え、
前記停波判定部がアナログ放送は停波していないと判定すれば、前記アナログチューナは、前記選択されたアナログ放送チャンネルを選局し、
前記停波判定部がアナログ放送は停波していると判定すれば、前記録画再生部は、前記選択されたアナログ放送チャンネルの録画番組を再生する構成とした。
【０００８】
このような構成によれば、アナログ放送の停波後に、ユーザがアナログ放送チャンネルの選択操作をすると、アナログ放送は停波していると判定され、選択されたアナログ放送チャンネルの録画番組が再生され、表示部に録画番組が表示される。これにより、ユーザは、選択されたアナログ放送チャンネルで過去に放送されていた番組をアナログ放送の画質で回顧することができ、ノスタルジックな気持ちを味わうことができる。即ち、アナログ放送の停波後もアナログ放送チャンネルの選択操作を有意義なものとすることができる。なお、アナログ放送が停波する前であれば、アナログ放送は停波していないと判定されるので、表示部には現在放送されている番組を表示させることができる。
【０００９】
また、上記構成において、前記停波判定部がアナログ放送は停波していると判定した場合に、もし録画番組が録画されていなければ、警告表示を前記表示部にさせるべく前記映像信号出力部が映像信号を前記表示部に出力する構成としてもよい。
【００１０】
また、上記いずれかの構成において、前記停波判定部がアナログ放送は停波していると判定した場合に、前記選択されたアナログ放送チャンネルの録画番組はないが、前記選択されたアナログ放送チャンネル以外のアナログ放送チャンネルの録画番組があった場合、その録画番組を前記録画再生部は再生する構成としてもよい。
【００１１】
また、上記いずれかの構成において、デジタル放送を受信して選局するデジタルチューナを備え、前記デジタルチューナが選局した放送番組を前記録画再生部は録画し、
前記停波判定部がアナログ放送は停波していると判定した場合に、アナログ放送の録画番組はないが、デジタル放送の録画番組があった場合、その録画番組を前記録画再生部は再生する構成としてもよい。
【発明の効果】
【００１２】
本発明の放送受信装置によれば、アナログ放送の停波後もアナログ放送チャンネルの選択操作を有意義なものとすることができる。
【図面の簡単な説明】
【００１３】
【図１】本発明に係る放送受信装置の一概略構成例を示す図である。
【図２】本発明に係る放送受信装置におけるアナログ放送チャンネル選択時の番組視聴処理に関するフローチャートである。
【図３】本発明に係る放送受信装置におけるアナログ放送チャンネル選択時の番組視聴処理に関するフローチャートである。
【図４】アナログ放送チャンネル選択時の再生方法を設定する画面の一例を示す図である。
【発明を実施するための形態】
【００１４】
以下に本発明の実施形態を図面を参照して説明する。本発明に係る放送受信装置の一概略構成例を図１に示す。
【００１５】
図１に示す本発明に係る放送受信装置は、デジタル放送およびアナログ放送を受信可能なハードディスクレコーダ（以下、ＨＤＤレコーダ）１００であって、アンテナ１０１、アンテナ１０２および表示装置１０３が接続されている。また、ＨＤＤレコーダ１００はリコモン送信機１０４によって遠隔操作される。
【００１６】
ＨＤＤレコーダ１００は、デジタルチューナ１と、アナログチューナ２と、信号処理部３と、ＯＳＤ（On Screen Display）部４と、映像合成部５と、制御部６と、ＨＤＤ記録再生部７と、不揮発性メモリ８と、受光部９と、を備えている。
【００１７】
デジタルチューナ１は、アンテナ１０１からデジタル放送信号を受け取り、デジタル放送信号の選局および復調を行う。また、アナログチューナ２は、アンテナ１０２からアナログ放送信号を受け取り、アナログ放送信号の選局および復調を行う。
【００１８】
信号処理部３は、デジタルチューナ１から受け取った映像音声信号を、ハイビジョン画質（ＨＤ画質）のまま、または標準画質（ＳＤ画質）に変換してからＨＤＤ記録再生部７に送ったり、アナログチューナ２から受け取った映像音声信号を、標準画質のまま、ＨＤＤ記録再生部７に送ったりする。
【００１９】
また、信号処理部３は、デジタルチューナ１若しくはアナログチューナ２から受け取った映像信号、またはＨＤＤ記録再生部７で再生された映像信号を映像合成部５に送ったりもする。
【００２０】
ＯＳＤ部４は、制御部６からの指示に基づいて生成したＯＳＤ画像信号を映像合成部５に送る。映像合成部５は、信号処理部３からの映像信号とＯＳＤ部４からのＯＳＤ画像信号とを合成して、合成した映像信号を表示装置１０３に送る。なお、映像合成部５は、信号処理部３からの映像信号、ＯＳＤ画像信号をそれぞれ合成せずに表示装置１０３に送ることもする。
【００２１】
ＨＤＤ記録再生部７は、制御部６からの指示に基づいて、信号処理部３から受け取った映像音声信号をハードディスクに記録したり、ハードディスクに記録されている映像音声信号を再生したりする。
【００２２】
受光部９は、リモコン送信機１０４から送信されたリモコン赤外線信号を受光して電気信号に変換し、さらにその電気信号を操作コードに変換して制御部６に出力する。不揮発性メモリ８は、制御部６により録画予約情報等の各種設定情報が格納される。制御部６は、ＲＯＭ（不図示）に格納されている制御プログラムを実行してＨＤＤレコーダ１００の各部を制御する。
【００２３】
次に、ＨＤＤレコーダ１００におけるアナログ放送チャンネル選択時の番組視聴処理について図２、図３のフローチャートを用いて説明する。
【００２４】
リモコン送信機１０４においてアナログ放送チャンネルの選択操作がされると、図２のフローチャートが開始される。
【００２５】
まず、ステップＳ２１で、制御部６は、アナログ放送が停波しているか否かを判定する。具体的には、例えば、制御部６は、時計部（不図示）が示す現在時刻がアナログ放送が停波する２０１１年７月２４日以降であるか否かにより、アナログ放送が停波しているか否かを判定する。
【００２６】
もし、アナログ放送は停波していないと判定すれば（ステップＳ２１のＮ）、ステップＳ２２に進み、制御部６は、選択されたアナログ放送チャンネルに対応する選局周波数をアナログチューナ２に指示し、アナログチューナ２は、指示された選局周波数で選局を行う。アナログチューナ２が出力する映像信号は、信号処理部３、映像合成部５を介して表示装置１０３に送られるので、表示装置１０３に選択されたアナログ放送チャンネルの番組が表示される。これで、処理は終了となる（エンド）。
【００２７】
一方、アナログ放送は停波していると判定すれば（ステップＳ２１のＹ）、ステップＳ２３に進み、制御部６は、ＨＤＤ記録再生部７に録画番組が記録されているか否かを判定する。
【００２８】
もし、録画番組が記録されていないと判定すれば（ステップＳ２３のＮ）、ステップＳ２４に進み、制御部６の指示によりＯＳＤ部４がＯＳＤ画像信号を生成することで、表示させる録画番組がない旨を示す警告表示が表示装置１０３に表示され、処理は終了となる（エンド）。
【００２９】
一方、録画番組が記録されていると判定すれば（ステップＳ２３のＹ）、ステップＳ２５に進み、制御部６は、選択されたアナログ放送チャンネルの録画番組がＨＤＤ記録再生部７に記録されているか否かを判定する。番組がＨＤＤ記録再生部７に記録される際に、アナログ放送チャンネルまたはデジタル放送チャンネルを表すチャンネル情報も番組に対応させて記録されるので、このチャンネル情報を用いて上記判定が可能となる。
【００３０】
もし、選択されたアナログ放送チャンネルの録画番組がＨＤＤ記録再生部７に記録されていると判定すれば（ステップＳ２５のＹ）、ステップＳ２６に進み、制御部６の指示によりＨＤＤ記録再生部７は、選択されたアナログ放送チャンネルの録画番組を再生し、表示装置１０３に録画番組が表示される。なお、選択されたアナログ放送チャンネルの録画番組が複数存在する場合は、それらの録画番組をランダムに再生させる。
【００３１】
一方、選択されたアナログ放送チャンネルの録画番組がＨＤＤ記録再生部７に記録されていないと判定すれば（ステップＳ２５のＮ）、図３のフローチャートにおけるステップＳ２７に進む。ステップＳ２７で、制御部６は、アナログ放送チャンネルの録画番組がＨＤＤ記録再生部７に記録されているか否かを判定する。
【００３２】
もし、アナログ放送チャンネルの録画番組がＨＤＤ記録再生部７に記録されていると判定すれば（ステップＳ２７のＹ）、ステップＳ２８に進み、制御部６の指示によりＨＤＤ記録再生部７は、アナログ放送チャンネルの録画番組を再生し、表示装置１０３に録画番組が表示される。なお、アナログ放送チャンネルの録画番組が複数存在する場合は、それらの録画番組をランダムに再生させる。即ちここでは、選択されたアナログ放送チャンネル以外のアナログ放送チャンネルの録画番組が再生されることとなる。
【００３３】
一方、アナログ放送チャンネルの録画番組がＨＤＤ記録再生部７に記録されていないと判定すれば（ステップＳ２７のＮ）、ステップＳ２９に進む。ステップＳ２９で、制御部６は、選択されたアナログ放送チャンネルと放送局が同じであるデジタル放送チャンネルの録画番組がＨＤＤ記録再生部７に記録されているか否かを判定する。
【００３４】
もし、選択されたアナログ放送チャンネルと放送局が同じであるデジタル放送チャンネルの録画番組が記録されていると判定すれば（ステップＳ２９のＹ）、ステップＳ３０に進み、制御部６の指示によりＨＤＤ記録再生部７は、該当する録画番組を再生し、表示装置１０３に録画番組が表示される。なお、該当する録画番組が複数存在する場合は、それらの録画番組をランダムに再生させる。
【００３５】
一方、選択されたアナログ放送チャンネルと放送局が同じであるデジタル放送チャンネルの録画番組が記録されていないと判定すれば（ステップＳ２９のＮ）、ステップＳ３１に進み、制御部６の指示によりＨＤＤ記録再生部７は、記録されている録画番組を再生し、表示装置１０３に録画番組が表示される。なお、記録されている録画番組が複数存在する場合は、それらの録画番組をランダムに再生させる。即ちここでは、選択されたアナログ放送チャンネルと放送局が同じであるデジタル放送チャンネル以外のデジタル放送チャンネルの録画番組が再生されることとなる。
【００３６】
このような実施形態によれば、アナログ放送が停波していても、アナログ放送チャンネルをユーザが選択すると、選択されたアナログ放送チャンネルの録画番組が再生される。これにより、ユーザは、過去にそのチャンネルで放送されていた番組をアナログ放送の画質で回顧することができ、ノスタルジックな気持ちを味わうことができる。即ち、アナログ放送の停波後も、アナログ放送チャンネルの選択操作を有意義なものとすることができる。
【００３７】
なお、本発明の実施形態は、以上に限定されるものではなく、様々な変形が可能である。
【００３８】
例えば、ステップＳ２１でのアナログ放送停波の判定については、制御部６が、選択されたアナログ放送チャンネルに対応する選局周波数をアナログチューナ２に指示後、アナログチューナ２の選局結果が正常であることを検知すれば、アナログ放送は停波していないと判定し、選局された番組を表示装置１０３に表示させるようにしてもよい。この場合、制御部６が、アナログチューナ２の選局結果が異常であることを検知すれば、アナログ放送は停波していると判定し、ステップＳ２３に進むようにすればよい。
【００３９】
アナログ放送が停波する日時が予定日である２０１１年７月２４日より後にもし変更されたとすると、前述した時計部を用いた判定では、２０１１年７月２４日を過ぎると実際はアナログ放送が停波していないにも関わらず、停波したと判定され、現在放送されている番組を視聴できない。しかし、本方法であれば、アナログ放送が停波していないことを正しく判定でき、現在放送されている番組を視聴できる。
【００４０】
また、例えば、ＯＳＤ部４によるメニュー画面から図４に示すような設定画面を表示させ、ここで、「ランダム」か「録画日時順」かをリモコン送信機１０４により選択できるようにし、選択されれば、選択内容が不揮発性メモリ８に設定されるようにしてもよい。そして、もし「ランダム」が設定されていれば、ステップＳ２６、Ｓ２８、Ｓ３０、Ｓ３１で、該当する録画番組が複数の場合にランダムに再生させ、もし「録画日時順」が設定されていれば、ステップＳ２６、Ｓ２８、Ｓ３０、Ｓ３１で、該当する録画番組が複数の場合に録画日時が新しい順（または古い順）に再生させるようにする。これにより、ユーザの好みの方法で録画番組を再生させることができる。
【符号の説明】
【００４１】
１００  ハードディスクレコーダ（ＨＤＤレコーダ）
１０１  アンテナ
１０２  アンテナ
１０３  表示装置
１０４  リモコン送信機
１  デジタルチューナ
２  アナログチューナ
３  信号処理部
４  ＯＳＤ部
５  映像合成部
６  制御部
７  ＨＤＤ記録再生部
８  不揮発性メモリ
９  受光部
【図１】
2010263514.tif 000003
【図２】
2010263514.tif 000004
【図３】
2010263514.tif 000005
【図４】
2010263514.tif 000006